(57)【特許請求の範囲】
【請求項１】
複製世代管理のために、電子透かし情報による付加情報と、他の付加情報とを情報信号に付加するようにする複製世代管理方法であって、
前記電子透かし情報による付加情報に基づいて、前記他の付加情報の書き換え管理をすることを特徴とする複製世代管理方法。
【請求項２】
前記情報信号は、映像情報であり、前記他の付加情報は、ＣＧＭＳ（コピー・ジェネレーション・マネージメント・システム）情報であることを特徴とする請求項１に記載の複製世代管理方法。
【請求項３】
複製世代管理のために、電子透かし情報による付加情報と、他の付加情報とが付加された情報信号の記録装置であって、
前記情報信号から前記電子透かし情報を検出する検出手段と、
前記検出された前記電子透かし情報に応じて、記録を許可するかどうかを制御する記録制御手段と、
前記記録制御手段で記録を許可する場合において、前記検出手段で検出された前記電子透かし情報に基づき、必要に応じて、記録しようとする情報信号に付加される前記他の付加情報の書き換えを行う書き換え手段と、
を備える情報信号の記録装置。
【請求項４】
請求項３に記載の情報信号の記録装置において、
前記記録制御手段で記録を許可する場合において、前記検出手段で検出された前記電子透かし情報に基づき、必要に応じて、記録しようとする情報信号に付加する電子透かし情報の実質的な書き換えをする電子透かし情報書き換え手段を、さらに備えることを特徴とする情報信号の記録装置。
【請求項５】
前記情報信号は、映像情報であり、前記他の付加情報は、ＣＧＭＳ（コピー・ジェネレーション・マネージメント・システム）情報であることを特徴とする請求項３に記載の情報信号の記録装置。
【請求項６】
複製世代管理のために、電子透かし情報による付加情報と、他の付加情報とが付加された情報信号の入力を受け、前記情報信号を出力する情報信号の出力装置であって、
入力された前記情報信号から前記電子透かし情報を検出する検出手段と、
前記検出手段で検出された前記電子透かし情報に基づき、前記出力する情報信号に付加される前記他の付加情報を、前記電子透かし情報と齟齬が生じないように書き換える書き換え手段と、
を備える情報信号の出力装置。
【請求項７】
前記情報信号は、映像情報であり、前記他の付加情報は、ＣＧＭＳ（コピー・ジェネレーション・マネージメント・システム）情報であることを特徴とする請求項６に記載の情報信号の出力装置。
【請求項８】
複製世代管理のために、電子透かし情報による付加情報と、他の付加情報とが付加された情報信号が記録されている記録媒体から前記情報信号を再生する再生装置であって、
前記記録媒体から再生された情報信号から前記電子透かし情報を検出する検出手段と、
前記検出手段で検出された前記電子透かし情報に基づき、前記再生された情報信号に付加されている前記他の付加情報を、前記電子透かし情報と齟齬が生じないように書き換える書き換え手段と、
を備える情報信号の再生装置。
【請求項９】
前記情報信号は、映像情報であり、前記他の付加情報は、ＣＧＭＳ（コピー・ジェネレーション・マネージメント・システム）情報であることを特徴とする請求項８に記載の情報信号の再生装置。
【請求項１０】
複製世代管理のために、ＣＧＭＳ（コピー・ジェネレーション・マネージメント・システム）情報と電子透かし情報による付加情報とが付加された情報信号を暗号化して他の機器にＩＥＥＥ１３９４インターフェースを通じて出力するものであって、前記ＣＧＭＳ情報に応じて、前記他の機器に前記暗号化のキー情報を渡すかどうかを決めるようにする情報信号出力装置において、
前記電子透かし情報による付加情報を前記情報信号から抽出して、前記付加情報を判別する手段と、
前記判別された電子透かし情報に基づき、前記ＣＧＭＳ情報を、前記電子透かし情報と齟齬が生じないように書き換える書き換え手段と、
前記書き換え手段により書き換えられた前記ＣＧＭＳ情報に基づき、前記暗号化のキー情報を前記他の機器に渡すかどうかを決定するコントロール部と、
を備える情報信号出力装置。
【発明の詳細な説明】
【０００１】
【発明の属する技術分野】
この発明は、例えば、映像信号などの情報信号の複製を制御するための複製世代管理方法、および、この方法が適用される情報信号の記録装置、出力装置および再生装置に関する。
【０００２】
【従来の技術】
近年、インターネット、デジタルビデオディスクなどのデジタルコンテンツの普及に伴い、このデジタルコンテンツについての不正な複製（コピー）による著作権侵害が問題となっている。そこで、この問題に対処するため、デジタルコンテンツに複製制御のための情報を付加し、この付加情報を用いて、不正な複製を防止することが考えられている。
【０００３】
この複製の防止のための制御としては、情報ソースに応じて、全く複製を認めない場合と、１回は複製を認めるが、１回複製されたものからの複製を禁止する場合（世代制限の複製制御方式）とが考えられている。
【０００４】
後者の世代制限の複製制御方式の場合には、有効に複製世代の制御ができる方式が望まれている。この複製世代の管理が行える複製制御情報の方式としては、ＣＧＭＳ（Ｃｏｐｙ  Ｇｅｎｅｒａｔｉｏｎ  Ｍａｎａｇｅｍｅｎｔ  Ｓｙｓｔｅｍ；コピー・ジェネレーション・マネージメント・システム）方式が提案されている。
【０００５】
このＣＧＭＳ方式は、アナログ映像信号（ＣＧＭＳ−Ａと呼ばれる）であれば、その輝度信号の垂直ブランキング期間内の特定の１水平区間、例えばＮＴＳＣ信号の場合には、第２０水平区間の有効映像部分に重畳する２０ビットの付加情報のうちの２ビットを複製制御用の情報として重畳し、また、デジタル映像信号（ＣＧＭＳ−Ｄと呼ばれる）であれば、デジタル映像データに挿入付加する付加情報として、複製制御用の２ビットの情報を含めて伝送する方式である。
【０００６】
このＣＧＭＳ方式の場合の２ビットの情報（以下、ＣＧＭＳ情報という）の意味内容は、
［００］……複製可能
［１０］……１回複製可能（１世代だけ複製可能）
［１１］……複製禁止（絶対複製禁止）
である。
【０００７】
映像情報に付加されたＣＧＭＳ情報が［１０］であった場合に、ＣＧＭＳ対応の記録装置では、その映像情報の複製記録が可能であると判断して記録を実行するが、記録された映像信号には［１１］に書き換えられたＣＧＭＳ情報が付加される。そして、記録しようとする映像情報に付加されたＣＧＭＳ情報が［１１］の場合には、ＣＧＭＳ対応の記録装置では、その画像信号の複製記録は禁止であるとして記録の実行が禁止される。
【０００８】
【発明が解決しようとする課題】
しかしながら、ＣＧＭＳ情報は、デジタル信号の場合には、特定の２ビットの情報を抽出することにより検出することが可能であるので、不正な複製を行おうとする者にとっては、このＣＧＭＳ情報の改ざんは比較的容易である。
【０００９】
このような改ざんが行われた場合には、従来は、それを適正なものに戻す手段はなく、もはや適正な複製世代制限制御ができなくなってしまう不都合が生じる。特に、デジタル映像データのインターフェースとして、ＩＥＥＥ１３９４インターフェースがあるが、このインターフェースにおいては、ＣＧＭＳ情報を用いて著作権保護を行う方法が提案されており、ＣＧＭＳ情報を常に正しい状態に保持することは重要である。
【００１０】
この発明は、ＣＧＭＳ情報などの複製世代管理のための付加情報を常に正しい状態に保持して、常に適正な複製世代制限制御が行えるようにすることを目的とするものである。
【００１１】
【課題を解決するための手段】
上記課題を解決するため、この発明においては、
複製世代管理のために、電子透かし情報による付加情報と、他の付加情報とを情報信号に付加するようにする複製世代管理方法であって、
前記電子透かし情報による付加情報に基づいて、前記他の付加情報の書き換え管理をすることを特徴とする複製世代管理方法を提供する。
【００１２】
電子透かし処理は、画像データや音楽データに存在する人間の知覚上の重要でない部分、すなわち、音楽や映像に対して冗長でない部分に、雑音として情報を埋め込む処理である。このような電子透かし処理により画像データや音楽データ中に埋め込まれた電子透かし情報による付加情報は、画像データや音楽データと同じ周波数領域および時間領域に埋め込まれているので、その画像データや音楽データから除去されにくく、不正な改ざんに非常に強い。
【００１３】
一方、画像データや音楽データについてフィルタリング処理やデータ圧縮処理をした後であっても、それらに埋め込まれた付加情報を画像データや音楽データ中から検出することが可能である。
【００１４】
この発明によれば、上記のように改ざんが困難な電子透かし情報による複製世代制御のための付加情報が、ＣＧＭＳ情報などの他の付加情報と共に、映像信号などの情報信号に付加され、電子透かし情報に基づいて、ＣＧＭＳ情報などの他の付加情報の書き換えが行われる。
【００１５】
したがって、ＣＧＭＳ情報などの他の付加情報について改ざんが行われたとしても、その書き換えは正しく行われ、常に、適正な複製世代管理を行うことができるものである。
【００１６】
【発明の実施の形態】
以下、この発明による複製世代管理方法、およびこの方法を用いる出力装置、記録装置、再生装置の実施の形態を、図を参照しながら説明する。
【００１７】
以下に説明する実施の形態は、ディスク記録媒体を用いて情報信号を伝送する場合であって、複製制御対象が映像情報で、ディスク記録媒体がＤＶＤ（デジタルビデオディスク）である場合である。そして、複製世代を管理するための付加情報としては、ＣＧＭＳ情報と、電子透かし情報ＷＭとを用いている。
【００１８】
この電子透かし処理を用いる複製制御方式の場合、埋め込む付加情報により、▲１▼「複製可能（Ｃｏｐｙ  Ｆｒｅｅ）」
▲２▼「１回複製可能（１世代だけ複製可能）（Ｃｏｐｙ  Ｏｎｃｅ）」
▲３▼「これ以上の複製禁止（Ｎｏ  Ｍｏｒｅ  Ｃｏｐｙ）」
▲４▼「絶対複製禁止（Ｎｅｖｅｒ  Ｃｏｐｙ）」
の４状態を、当該電子透かし情報が重畳された画像データや音楽データの複製世代や複製制限状態を表すようにしている。
【００１９】
▲１▼「複製可能（Ｃｏｐｙ  Ｆｒｅｅ）」は、音楽データや画像データの自由な複製が可能であることを表す。▲２▼「１回複製可能（１世代だけ複製可能）（Ｃｏｐｙ  Ｏｎｃｅ）」は、１回だけ音楽データや画像データの複製が可能であることを示す。▲３▼「これ以上の複製禁止（Ｎｏ  Ｍｏｒｅ  Ｃｏｐｙ）」は、▲２▼の１回複製可能の状態の音楽データや画像データから、当該音楽データや画像データが複製されたものであって、これ以上の複製は禁止であることを示す。▲４▼「絶対複製禁止（Ｎｅｖｅｒ  Ｃｏｐｙ）」は、複製は全く禁止であることを示す。
【００２０】
画像データや音楽データに重畳された電子透かし情報が、「１回複製可能（Ｃｏｐｙ  Ｏｎｃｅ）」であった場合には、電子透かし処理に対応（すなわち、複製制限処理対応）の記録装置では、その画像データや音楽データの複製記録が可能であると判断して記録を実行するが、記録された画像データや音楽データには、「これ以上の複製禁止（Ｎｏ  Ｍｏｒｅ  Ｃｏｐｙ）」に書き換えられた電子透かし情報が重畳される。そして、記録しようとする画像データや音楽データに重畳された電子透かし情報が、「これ以上の複製禁止（Ｎｏ  Ｍｏｒｅ  Ｃｏｐｙ）」の場合には、電子透かし処理対応の記録装置では、その画像データや音楽データの複製記録は禁止であるとして記録の実行が禁止される。
【００２１】
そして、電子透かし処理としては、この実施の形態では、ＰＮ（Ｐｓｅｕｄｏｒａｎｄｏｍ  Ｎｏｉｓｅ；擬似雑音符号）系列の符号（以下、ＰＮ符号という）を用いて、複製世代を管理するための付加情報をスペクトラム拡散し、そのスペクトラム拡散した情報を電子透かし情報ＷＭとして、画像情報に重畳するようにしている。
【００２２】
また、書き換え可能の記録媒体に記録を行う記録装置で使用する暗号化処理としては、予め定められたスクランブル処理を用いるようにしている。
【００２３】
なお、以下の説明においては、書き換え可能なＤＶＤはＲＡＭディスクと称し、また、書き換え不能な読み出し専用のＤＶＤはＲＯＭディスクと称することとする。また、複製世代制限処理に対応する記録装置および再生装置をコンプライアントの装置と呼び、複製世代制限処理に対応していない装置を、ノンコンプライアントの装置と呼ぶ。また、複製世代を管理するための情報は、複製制御情報と称することとする。
【００２４】
なお、ＲＯＭディスクであって、絶対複製禁止とする場合には、ＲＯＭディスクに記録される情報信号には、それを示す付加情報が付加されるとともに、ＣＳＳ（Ｃｏｎｔｅｎｔｓ  Ｓｃｒａｍｂｌｅ  Ｓｙｓｔｅｍ）方式の暗号化が施されるが、このＲＯＭディスクで使用される暗号化と、前記のＲＡＭディスクへの書き込みの際に用いられる暗号化とは異なるものである。
【００２５】
以下に説明する実施の形態の例では、図２に示すように、ケーブルや電波により伝送されるデジタル放送を、例えばセットトップボックス（受信機）１００により受信して、その受信信号を受信機とは別体の記録装置２００によりＲＡＭディスク３０に記録し、そのＲＡＭディスク３０を再生装置３００により再生する場合を例に取った場合について説明するものとする。
【００２６】
この実施の形態において、セットトップボックス１００は、情報信号の出力装置の一形態であり、受信した映像信号にＣＧＭＳ情報と電子透かし情報ＷＭの両方が重畳付加されている場合に、その出力映像情報のＣＧＭＳ情報は、電子透かし情報ＷＭに基づいて、ＣＧＭＳ情報と電子透かし情報との間で齟齬が生じないように、書き換えて出力する。再生装置３００においても、その再生出力映像情報のＣＧＭＳ情報は、電子透かし情報ＷＭに基づいて、ＣＧＭＳ情報と電子透かし情報との間で齟齬が生じないように、書き換えて出力する。
【００２７】
また、この実施の形態の記録装置２００においては、受信機からの映像信号の電子透かし情報による付加情報が「１回複製可能（Ｃｏｐｙ  Ｏｎｃｅ）」の状態の場合、受信機からの受信信号をコンプライアントの記録装置で記録した場合には、このコンプライアントの記録装置では、ＣＧＭＳ情報は、電子透かし情報ＷＭに基づいて、［１１］に書き換え、また、電子透かし情報ＷＭは、「１回複製可能（Ｃｏｐｙ  Ｏｎｃｅ）」の状態から「これ以上の複製禁止（Ｎｏ  Ｍｏｒｅ  Ｃｏｐｙ）」の状態に書き換えられる。その他のときには、書き換えは行わない。
【００２８】
なお、この実施の形態においては、電子透かし処理にスペクトラム拡散を用いているので、電子透かし情報ＷＭの書き換えに際し、「１回複製可能（ＣｏｐｙＯｎｃｅ）」の状態の電子透かし情報は消去せずに、スペクトラム拡散に用いるＰＮ符号列として異なる系列のＰＮ符号を用いることにより、「これ以上の複製禁止（Ｎｏ  Ｍｏｒｅ  Ｃｏｐｙ）」の状態の電子透かし情報ＷＭを、「１回複製可能（Ｃｏｐｙ  Ｏｎｃｅ）」の状態の電子透かし情報ＷＭに重ねて重畳することにより行うようにする。
【００２９】
このようにしても、スペクトラム拡散した複製制御情報は、目立たないレベルで主情報信号としての映像情報に重畳されるとともに、ＰＮ符号系列が異なることから、それぞれの複製制御情報が検出可能であり、より複製禁止に近い複製制御情報を、その時の電子透かしの複製制御情報として判定することにより、書き換えと同様の作用効果が得られる。以下の説明において、電子透かし情報ＷＭのチェックの結果の判定出力は、このように複数の複製制御情報が検出されたときには、それらから判定された結果を用いることを意味するものである。
【００３０】
そして、この実施の形態では、セットトップボックス１００と記録装置２００との間、および再生装置３００から記録装置２００との間でのデジタル映像情報の授受は、ＩＥＥＥ１３９４規格のインターフェースでＭＰＥＧ圧縮されている状態でコンプライアントの装置間で行うようにする。そして、このＩＥＥＥ１３９４規格のインターフェースにおいて、不正な複製を防止するために、伝送デジタル情報には暗号化を施すが、出力先がコンプライアントの装置であるか、また、記録装置であるかを検証するとともに、複製世代を管理するための付加情報（通常はＣＧＭＳ情報）を検証して、その検証結果に応じて、前記暗号化を解くためのキーを出力先に送出するか否かを決定する。
【００３１】
以上の通信制御方式は、ＩＥＥＥ１３９４セキュアバスと呼ばれており、映像データのデジタルインターフェースにおいては、これにより複製の有効な防止が図られている。
【００３２】
暗号化を解くためのキーを出力先に送出するか否かを決定するために検証する複製世代を管理するための付加情報は、この実施の形態では、電子透かし情報ＷＭとする。なお、電子透かし情報に基づいて書き換えた後のＣＧＭＳ情報を検証して、暗号化を解くためのキーを出力先に送出するか否かを決定するようにしてもよい。
【００３３】
次に、この実施の形態の場合のセットトップボックス（受信機）１００と、記録装置２００と、再生装置３００の構成例について説明する。なお、以下に説明する実施の形態においては、放送信号には、第１のＰＮ符号列である符号列ＰＮａでスペクトラム拡散された電子透かし複製制御情報が重畳されており、コンプライアントの記録装置では、第２のＰＮ符号列である符号列ＰＮｂ（ＰＮａとは異なる）で拡散された電子透かし複製制御情報により、世代制限の書き換えを行うものとする。
【００３４】
なお、説明を簡単にするため、以下においては、電子透かし情報について、「１回複製可能」は「Ｃｏｐｙ  Ｏｎｃｅ」と記載し、「これ以上の複製禁止」は「Ｎｏ  Ｍｏｒｅ  Ｃｏｐｙ」と記載し、「絶対複製禁止」は「Ｎｅｖｅｒ  Ｃｏｐｙ」と記載することとする。
【００３５】
［セットトップボックスについて］
図３は、この実施の形態において用いられるセットトップボックス１００の構成例を示すブロック図である。
【００３６】
図３に示すように、ユーザの選局操作に応じた選局制御信号がコントロール部１１０から選局部１０１に供給されることにより、選局部１０１では選局されたチャンネルの信号は、デ・スクランブル部１０２に供給されて、放送信号にかけられているスクランブルを解くデ・スクランブル処理がなされる。そして、デ・スクランブルされたチャンネルの信号は、デ・マルチプレックス部１０３に供給される。このデ・マルチプレックス部１０３では、選局部１０１からの出力信号には、複数の放送番組が包含されていることから、コントロール部１１０からのユーザの放送番組の選択操作に応じた放送番組のデータが抽出される。
【００３７】
このデ・マルチプレックス部１０３からの放送番組のビデオデータＤｉは、ＭＰＥＧ圧縮されている。このため、例えばディスプレイモニター装置に供給するために、デ・マルチプレックス部１０３からのデータＤｉは、ＣＧＭＳ書換部１０４を通じてビデオデータデコード部１０４に供給されて、ＭＰＥＧデコードされて、伸長復号される。このＭＰＥＧデコードされたデータは、Ｄ／Ａコンバータ１０５によりアナログ信号に変換されて、アナログ出力端子１１１ａを通じて、例えばディスプレイモニター装置に供給される。
【００３８】
この実施の形態においては、デ・マルチプレックス部１０３からのＭＰＥＧ圧縮された状態のビデオデータＤｉは、前述したように、ＣＧＭＳ書換部１０４に供給されると共に、電子透かし情報デコード部（以下ＷＭデコード部という）１０７に供給される。そして、ＷＭデコード部１０７において、放送番組データに付加されている電子透かし情報ＷＭが抽出され、複製制御情報が判別される。そして、その判別出力がコントロール部１１０に供給される。
【００３９】
電子透かし情報ＷＭは、この実施の形態では、映像信号にスペクトラム拡散信号として重畳されている。すなわち、前述したように、この例では、拡散符号として用いるＰＮ符号を十分に早い周期で発生させて、これを付加情報としての複製制御情報に対して掛け合わせることによりスペクトラム拡散し、狭帯域、高レベルの複製制御情報を、映像信号には影響を与えることのない広帯域、微小レベルの信号に変換させる。そして、このスペクトラム拡散された複製制御情報をビデオデータに重畳して伝送するようにする。
【００４０】
図４は、この場合の電子透かし情報ＷＭの情報信号としての映像信号への重畳処理を説明するためのブロック図である。この重畳処理は、放送側で行われる。あるいは、放送側では、この重畳処理が既に行われている映像信号を、放送する場合もある。
【００４１】
図４において、例えば映像信号Ｖｉの垂直同期信号が同期検出部４１で検出され、その検出出力がタイミング信号発生部４２に供給される。タイミング信号発生部４２は、垂直同期信号に同期したタイミング信号を発生する。
【００４２】
ＰＮａ発生部４３は、タイミング信号発生部４２からのタイミング信号に同期して、この例では、垂直周期で繰り返すＰＮ符号列ＰＮａを発生し、そのＰＮ符号列ＰＮａをＳＳ拡散部４３（ＳＳはスペクトラム拡散の略である。以下、同じ）に供給する。
【００４３】
また、複製制御情報発生部４５は、タイミング信号発生部４２からのタイミング信号に同期して、映像信号Ｖｉに電子透かし情報として重畳しようとする複製制御情報を発生し、ＳＳ拡散部４４に供給する。この場合、重畳しようとする複製制御情報は、伝送しようとする情報に応じて決定され、「複製可能（ＣｏｐｙＦｒｅｅ）」「１回複製可能（Ｃｏｐｙ  Ｏｎｃｅ）」「絶対複製禁止（Ｎｅｖｅｒ  Ｃｏｐｙ）」などを意味する情報が発生せられる。
【００４４】
ＳＳ拡散部４４は、複製制御情報とＰＮ符号列ＰＮａとを乗算して、スペクトラム拡散信号を生成する。そして、このスペクトラム拡散信号をレベル調整部４６を通じて電子透かし情報ＷＭ重畳部４７に供給して、入力映像信号Ｖｉに電子透かし情報として重畳する。レベル調整部４６は、電子透かし情報の重畳により、再生映像が劣化しない程度に重畳レベルを調整するためのものである。この場合、ＳＳ電子透かし情報が、映像信号のダイナミックレンジより小さいレベルで重畳される。
【００４５】
図６は、電子透かし情報として重畳する複製制御情報と、映像信号との関係をスペクトルで示したものである。複製制御情報は、これに含まれる情報量は少なく、低ビットレートの信号であり、図６（ａ）に示されるように狭帯域の信号である。これにスペクトラム拡散を施すと、図６（ｂ）に示すような広帯域幅の信号となる。このときに、スペクトラム拡散信号レベルは帯域の拡大比に反比例して小さくなる。
【００４６】
このスペクトラム拡散信号、すなわち、ＳＳ複製制御情報を、ＷＭ重畳部４７で映像信号Ｖｉに重畳させるのであるが、この場合に、図６（ｃ）に示すように、情報信号としての映像信号のダイナミックレンジより小さいレベルで、ＳＳ複製制御情報を重畳させるようにする。このように重畳することにより主情報信号の劣化がほとんど生じないようにすることができる。したがって、上述したように、ＳＳ複製制御情報が重畳された映像信号がモニター受像機に供給されて、映像が再生された場合に、ＳＳ複製制御情報の影響はほとんどなく、良好な再生映像が得られるものである。
【００４７】
一方、後述するように、ＳＳ複製制御情報を検出するために、逆スペクトラム拡散を行うと、図６（ｄ）に示すように、ＳＳ複製制御情報が再び狭帯域の信号として復元される。十分な帯域拡散率を与えることにより、逆拡散後の複製制御情報の電力が情報信号を上回り、検出可能となる。
【００４８】
この場合、映像信号に重畳された電子透かし情報は、映像信号と同一時間、同一周波数内に重畳されるため、周波数フィルタや単純な情報の置き換えでは削除および修正が不可能である。
【００４９】
したがって、映像信号に重畳されたＳＳ複製制御情報が取り除かれることがなく、その改ざんが困難であるので、不正な複製を確実に防止することができる複製制御が可能になる。
【００５０】
また、上述の構成においては、垂直同期信号を基準信号とした、垂直周期のＰＮ符号列を用いてスペクトラム拡散を行うようにしたので、このスペクトラム拡散信号を映像信号から検出する場合に必要となる逆スペクトラム拡散用のＰＮ符号列は、映像信号から検出した垂直同期信号に同期した信号に基づき容易に生成することができる。
【００５１】
以上のようにして重畳された電子透かし情報ＷＭとしてのＳＳ複製制御情報を抽出し、判別するＷＭデコード部１０７は、図５のように構成することができる。すなわち、図５に示すように、デ・マルチプレックス部１０３からのビデオデータＤｉは逆拡散部１０７４に供給されるとともに、同期検出部１０７１に供給される。同期検出部１０７１は、垂直同期タイミングを検出し、その検出出力をタイミング信号発生部１０７２に供給する。
【００５２】
タイミング信号発生部１０７２は、ＰＮａ発生部１０７３に垂直同期タイミング信号を供給する。このＰＮａ発生部１０７３は、図４の重畳側のＰＮａ発生部４３と同じＰＮ符号系列を発生するもので、重畳側と同じ垂直同期タイミングでＰＮ符号列ＰＮａを発生することになる。このＰＮａ発生部１０７３からのＰＮ符号列ＰＮａは、逆拡散部１０７４に供給されて、これよりスペクトラム拡散されていた複製制御情報が得られる。この複製制御情報はＷＭ判定部１０７５に供給されて、複製制御状態が判定される。そして、その判定出力が、コントロール部１１０に供給される。
【００５３】
コントロール部１１０は、この電子透かし情報ＷＭの判別出力に基づき、ＣＧＭＳ書換部１０４において、電子透かし情報ＷＭとＣＧＭＳ情報とが齟齬が生じないように、ＣＧＭＳ情報を書き換える。
【００５４】
すなわち、例えば、受信した映像情報のＣＧＭＳ情報が「００」で、複製可能を示しており、このとき電子透かし情報ＷＭが、「１回複製可能（Ｃｏｐｙ  Ｏｎｃｅ）」のときには、ＣＧＭＳ情報を「１０」として、１回複製可能の状態に書き換えるべきである。
【００５５】
また、受信した映像情報のＣＧＭＳ情報が「００」あるいは「１０」で、複製可能あるいは１回複製可能であるときに、電子透かし情報ＷＭが「これ以上の複製禁止（Ｎｏ  Ｍｏｒｅ  Ｃｏｐｙ）」あるいは「絶対複製禁止（Ｎｅｖｅｒ  Ｃｏｐｙ）」のときには、ＣＧＭＳ情報は「１１」に書き換えるべきである。
【００５６】
この実施の形態では、電子透かし情報ＷＭは、改ざんが困難であることから、ＣＧＭＳ情報がどのような状態になっているかを確認することなく、電子透かし情報ＷＭを基準に、ＣＧＭＳ情報を、両者の間に齟齬が生じないように書き換えるだけで、上述のようなＣＧＭＳ情報と電子透かし情報の齟齬を防止して、適正な複製世代管理を行うことができると期待できる。
【００５７】
ＣＧＭＳ書換部１０４からの圧縮デジタル映像データは、ＩＥＥＥ１３９４インターフェースバスを通じてデジタル出力とされる。この場合に、前述したように、ＩＥＥＥ１３９４セキュアバスにより複製防止が図られている。
【００５８】
すなわち、ＣＧＭＳ書換部１０４の出力データは、暗号化部１０８に供給され、コントロール部１１０からの制御により、通信ごとに異なる暗号キーに基づく暗号化が圧縮ビデオデータに施される。この暗号化部１０８での暗号化も、前述したＲＡＭディスクやＲＯＭディスクに記録する情報信号に施す暗号化とは異なる。
【００５９】
この暗号化部１０８からの暗号化データは、ＩＥＥＥ１３９４インターフェース１０９を通じ、出力端子１１１ｂを通じて出力先の電子機器に供給される。ＩＥＥＥ１３９４インターフェース１０９は、当該ＩＥＥＥ１３９４インターフェース規格に適合するように、データ変換をしてデータを出力する。
【００６０】
この際に、コントロール部１１０は、ＩＥＥＥ１３９４インターフェース１０９を通じて出力先の機器と通信を行い、その出力先の機器がコンプライアントの装置か、また、コンプライアントの装置であれば、それが記録装置であるか否か判別する。
【００６１】
そして、コントロール部１１０は、この実施の形態では、ＷＭデコード部１０７からの複製制御情報の判別出力と、ＩＥＥＥ１３９４インターフェース１０９を通じた出力先の機器の判別情報とから、暗号化部１０８で暗号化を解くための暗号キー情報を出力先に送出するか否かを決定する。この場合、前述したように、コントロール部１１０においては、ＷＭデコード部１０７からの複製制御情報が複数個存在する場合には、その判別出力に関しては、より複製禁止に近い情報を用いるものである。
【００６２】
例えば、出力先がノンコンプライアントの装置であったときには、暗号キー情報は、出力先の装置に渡さない。また、出力先がコンプライアントの装置であったときでも、それが記録装置の場合には、電子透かし情報ＷＭが「Ｎｏ  Ｍｏｒｅ  Ｃｏｐｙ」または「Ｎｅｖｅｒ  Ｃｏｐｙ」のときには、暗号キー情報は、出力先の装置に渡さない。
【００６３】
なお、前述もしたように、ＩＥＥＥ１３９４規格のインターフェースにおいて、暗号化を解くためのキーを出力先に送出するか否かを決定する資料として、ＣＧＭＳ書換部１０４で書き換えられたＣＧＭＳ情報を用いるようにしてもよい。その場合には、出力先がコンプライアントの記録装置のときで、ＣＧＭＳ情報が「１１」のときには、暗号キー情報は、出力先の装置に渡さない。
【００６４】
なお、Ｄ／Ａコンバータ１０５からのアナログ映像信号出力についても、電子透かし情報ＷＭに基づいたＣＧＭＳ−Ａ情報を付加して、出力するようにしてもよい。このＣＧＭＳ−Ａ情報は、映像信号の輝度信号の垂直ブランキング期間内の特定の１水平区間、例えばＮＴＳＣ信号の場合には、第２０水平区間の有効映像部分に重畳する２０ビットの付加情報のうちの２ビットを複製制御用の情報として重畳するものである。
【００６５】
以上のようにして、セットトップボックス１００からは、改ざんが困難である電子透かし情報ＷＭに基づいてＣＧＭＳ情報を齟齬が生じないように書き換えて映像信号を出力するので、ＣＧＭＳ情報のみに基づいて複製世代制御する機器においても適切な制御が可能になる。
【００６６】
なお、受信した映像データに付加されているＣＧＭＳ情報のデコード部をも設け、ＷＭデコード部１０７からの判別結果と、ＣＧＭＳ情報の判別結果とを比較した結果、ＣＧＭＳ情報の方が、より複製禁止に近い場合には、ＣＧＭＳ情報は書き換えないようにしてもよい。また、ＣＧＭＳ情報と、電子透かし情報ＷＭとの間に齟齬がない場合にも、ＣＧＭＳ情報を書き換えないようにしても、もちろんよい。
【００６７】
［コンプライアントの記録装置について］
次に、コンプライアントの記録装置２００について説明する。図１は、このコンプライアントの記録装置２００の構成例のブロック図である。
【００６８】
図１に示すように、このコンプライアントの記録装置２００は、ＩＥＥＥ１３９４インターフェース用のデジタル入力端子２００ｄと、アナログ入力端子２００ａとを備える。デジタル入力端子２００ｄはＩＥＥＥ１３９４インターフェース２０１に接続される。このＩＥＥＥ１３９４インターフェース２０１は、当該ＩＥＥＥ１３９４バスインターフェース規格に適合するように変換されているデータを元に戻す処理を行う。
【００６９】
このＩＥＥＥ１３９４インターフェース２０１からのデータは、暗号解読部２０２に供給される。前述したように、このデジタル入力端子２００ｄに接続される機器が、その情報信号の複製が可能と判断した情報については、その機器から暗号化を解くために暗号キー情報が送られてくる。暗号化解読部２０２は、この暗号キー情報が得られたときには、ＩＥＥＥ１３９４インターフェース２０１からのデータの暗号化を解読して、圧縮ビデオデータを復元することができる。復元された圧縮ビデオデータはセレクタ２０３に供給される。
【００７０】
また、アナログ入力端子２００ａを通じて入力されたビデオ情報は、アナログインターフェース２０４を通じて圧縮エンコード部２０５に供給されて、ＭＰＥＧ圧縮された後、セレクタ２０３に供給される。
【００７１】
セレクタ２０３は、ユーザの入力選択に応じたセレクタ制御信号により、暗号解読部２０２からのデータと、エンコード部２０５からのデータとのいずれかを選択して出力する。
【００７２】
このセレクタ２０３の出力データは、記録制御部２０６に供給されると共に、ＷＭデコード部２０７に供給される。ＷＭデコード部２０７では、電子透かし情報ＷＭの抽出、判別が行われて、その電子透かし情報ＷＭの判別出力がコントロール部２１０に供給される。
【００７３】
コントロール部２１０は、電子透かし情報ＷＭの判別出力に基づいて、入力情報の記録（複製）が可能であるか否か判別するとともに、記録（複製）が可能であると判別したときには、複製制御のためのＣＧＭＳ情報や電子透かし情報の書き換えが必要であるかを判別する。
【００７４】
すなわち、コントロール部２１０は、電子透かし情報ＷＭにより、記録が禁止されていると判別したときには、記録制御部２０６および書き込み部２１２を制御して、記録を実行しないように制御する。
【００７５】
また、電子透かし情報ＷＭにより、複製許可（Ｃｏｐｙ  Ｆｒｅｅ）と判別されたときには、記録制御部２０６および書き込み部２１２を制御して、記録の実行を可能とする。この場合、記録制御部２０６から出力される圧縮デジタル映像データは、ＷＭ書換部２０８およびＣＧＭＳ書換部２０９を通るが、電子透かし情報ＷＭおよびＣＧＭＳ情報の書き換えは行われない。そして、ＣＧＭＳ書換部２０９からの圧縮デジタル映像データは、スクランブル部２１１に供給される。
【００７６】
このスクランブル部２１１では、前述したＣＳＳやＩＥＥＥ１３９４インターフェースにおける暗号化とは異なるスクランブル処理が施される。そして、このスクランブル処理が施された映像データは書き込み部２１２によってＲＡＭディスク３０に記録される。
【００７７】
次に、電子透かし情報ＷＭにより、１回複製可能（Ｃｏｐｙ  Ｏｎｃｅ）と判別したときには、コントロール部２１０は、記録制御部２０６および書き込み部２１２を制御して、記録を実行するようにすると共に、ＷＭ書換部２０８およびＣＧＭＳ書換部２０９において、電子透かし情報ＷＭを、これ以上の複製禁止（Ｎｏ  Ｍｏｒｅ  Ｃｏｐｙ）の状態に書き換え（その電子透かし情報ＷＭを追加重畳する）、また、ＣＧＭＳ情報を記録禁止の「１１」に書き換えるようにする。
【００７８】
そして、電子透かし情報ＷＭおよびＣＧＭＳ情報が書き換えられた圧縮デジタル映像データは、スクランブル部２１１により、前記のスクランブル処理が施された後、書き込み部２１２によってＲＡＭディスク３０に記録される。
【００７９】
この場合のＣＧＭＳ書換部２０９は、ＣＧＭＳ情報が映像データのデータストリーム中の特定位置の２ビットデータであるので、その２ビットデータを抽出して、それを［１１］の状態に書き換えるように構成すればよい。
【００８０】
一方、電子透かし情報ＷＭ書換部２０８は、前述もしたように、スペクトラム拡散を用いているので、新たなスペクトラム拡散信号を重畳するようにする。図７は、この場合の電子透かし情報ＷＭ書換部２０８の構成例を示すものである。この構成は、前述の図４の電子透かし情報の重畳処理部と、幾つかの違いを除いてほぼ同様の構成である。
【００８１】
すなわち、図７の同期検出部２０８１、タイミング信号発生部２０８２、ＳＳ拡散部２０８４、レベル調整部２０８６、ＷＭ重畳部２０８８は、図４の同期検出部４１、タイミング信号発生部４２、ＳＳ拡散部４４、レベル調整部４６、ＷＭ重畳部４７に対応し、同様の構成を備える。
【００８２】
図４の電子透かし情報の重畳処理部と異なる部分の一つは、レベル調整部２０８６とＷＭ重畳部２０８８との間にスイッチ回路２０８７が設けられ、コントロール部２１０で、記録を実行し書換を実行すると判断されたときにのみ、このスイッチ回路２０８７が、コントロール部２１０からの切り換え制御信号により、オンとされるように切り換え制御される点である。
【００８３】
図４の電子透かし情報の重畳処理部と異なる部分の二つ目は、スペクトラム拡散用のＰＮ符号列が異なる点である。すなわち、図４のＰＮａ発生部４３に代わって、図７では、ＰＮｂ発生部２０８３が設けられ、符号列ＰＮａとは異なる符号列ＰＮｂを発生する。
【００８４】
図４の電子透かし情報の重畳処理部と異なる部分の三つ目は、複製制御情報発生部２０８５は、図４の複製制御情報発生部４５と異なり、「Ｎｏ  Ｍｏｒｅ  Ｃｏｐｙ」のみの情報を発生する点である。
【００８５】
また、電子透かし情報ＷＭデコード部２０７の構成は次のようにされる。図８は、ＷＭデコード部２０７の構成例のブロック図であり、同期検出部２０７１、タイミング信号発生部２０７２、ＰＮａ発生部２０７３、ＰＮｂ発生部２０７４、逆拡散部２０７５、ＷＭ判定部２０７６からなる。図５の構成と比較すれば明らかなように、このＷＭデコード部２０７は、ＰＮａ発生部２０７３に加えて、ＰＮｂ発生部２０７４を備える点が図５と異なる。
【００８６】
このＷＭデコード部２０７では、記録装置２００で映像データが記録されたＲＡＭディスク３０をコンプライアントの再生装置で再生し、それがコンプライアントの記録装置２００に入力される場合を考慮して、ＰＮｂ発生部２０７４を備えるものである。
【００８７】
そして、ＷＭデコード部２０７の逆拡散部２０７５では、２つの系列のＰＮ符号列ＰＮａ，ＰＮｂによる逆拡散により、１〜２個の複製制御情報を検出し、それらの複製制御情報をＷＭ判定部２０７６に供給する。ＷＭ判定部２０７６では、これらの複製制御情報のうちの、より複製禁止に近い方の情報を判定出力とする。そして、その判別出力をコントロール部２１０に供給する。
【００８８】
次に、この記録装置２００で、暗号解読ができた後の処理の流れを図９のフローチャートを参照して説明する。
【００８９】
まず、ステップＳ１０１で、ＷＭデコード部２０７からの電子透かし情報ＷＭの判定出力をチェックする。そして、次のステップＳ１０２で、電子透かし情報ＷＭが「Ｎｅｖｅｒ  Ｃｏｐｙ」または「Ｎｏ  Ｍｏｒｅ  Ｃｏｐｙ」であったかどうかを判別する。もし、そうであった場合には、ステップＳ１０３に進み、記録を禁止し、記録処理を中止する。もし、そうでなかったときには、ステップＳ１０４に進む。なお、「Ｎｅｖｅｒ  Ｃｏｐｙ」の状態は、デジタル入力端子からのビデオ情報について検出される場合はないが、アナログ入力端子からのビデオ情報には検出される場合がある。
【００９０】
ステップＳ１０４では、電子透かし情報ＷＭが「Ｃｏｐｙ  Ｏｎｃｅ」の状態であるかどうか判別する。もしもその状態でなければ、「Ｃｏｐｙ  Ｆｒｅｅ」の状態であるので、ステップＳ１０６に飛んで、スクランブル処理を施し、ステップ１０７でＲＡＭディスク３０への記録を実行する。
【００９１】
電子透かし情報ＷＭが「Ｃｏｐｙ  Ｏｎｃｅ」の状態であるときには、ステップＳ１０５に進み、その検出した電子透かし情報ＷＭに基づいて、ＣＧＭＳ書換部２０９でＣＧＭＳ情報を［１１］に書き換え、また、ＷＭ書換部２０８で、電子透かし情報ＷＭを、「Ｎｏ  Ｍｏｒｅ  Ｃｏｐｙ」へ書き換える処理を実行する。この実施の形態の場合、この電子透かし情報の書き換えは、前述したように、「Ｎｏ  Ｍｏｒｅ  Ｃｏｐｙ」の電子透かし情報ＷＭのさらなる重畳となる。
【００９２】
ステップＳ１０５の次には、ステップＳ１０６に進んで、スクランブル処理を映像データに施し、ステップＳ１０７でＲＡＭディスク３０への記録を実行する。なお、ＲＡＭディスク３０には、記録情報にはスクランブルがかかっていることを示す情報（以下、スクランブル・フラグという）が、付加情報として記録される。
【００９３】
なお、電子透かし情報ＷＭが、「Ｃｏｐｙ  Ｆｒｅｅ」の状態であるときには、ステップＳ１０４の後にステップＳ１０７に飛んで、スクランブル処理は行わずに、ＲＡＭディスク３０への記録を実行するようにしてもよい。ただし、上述の例のようにした場合には、ＲＡＭディスク３０への記録の際には、必ず記録情報信号にはスクランブル（暗号化）が施されることになり、後述する再生装置において不正な複製を検出しやすくなる。
【００９４】
以上のようにして、この実施の形態の記録装置においては、電子透かし情報ＷＭに基づいてＣＧＭＳ情報が書き換えられて、記録が行われる。前述したように、電子透かし情報ＷＭは、映像情報と同じ周波数領域および時間領域に重畳されるため、不正な複製を行おうとする者の不正な改ざんが非常に困難である。したがって、ＣＧＭＳ情報は、常に適正に書き換えが行われて、ＲＡＭディスク３０上に記録されると期待できる。
【００９５】
このため、ＣＧＭＳ情報のみにより、複製世代制限処理などの記録制御を行う装置においても、複製制御に関して、適格に所期の通りの効果を期待することができる。また、ＲＡＭディスク３０に記録された情報を再生して、その再生デジタル情報についてＩＥＥＥ１３９４インターフェースによる伝送制御を行う場合に、ＣＧＭＳ情報のみを検証情報として、映像データの伝送および暗号化キーの授受を制御する場合であっても、所期の通りの効果を期待することができる。
【００９６】
［コンプライアントの再生装置について］
次に、コンプライアントの再生装置３００の構成例を図１０〜図１３を用いて説明する。
【００９７】
図１０は、コンプライアントの再生装置３００の構成の全体を示すブロック図である。この図１０に示すように、この再生装置３００に装填されたディスク３０に記録されている情報は、読み出し部３０１で読み出され、デ・スクランブル部３０２、スクランブル有無検出部３０３およびディスク種別判別部３０４に供給される。
【００９８】
スクランブル有無検出部３０３は、付加情報としてディスク３０に記録されているスクランブル・フラグを抽出して、記録情報にはスクランブルがかかっているか否か検出し、その検出結果をコントロール部３１０に出力する。なお、ＣＧＭＳ情報が［１１］または電子透かし情報が「Ｎｅｖｅｒ  Ｃｏｐｙ」の状態の情報が記録されているＲＯＭディスク、つまり、複製禁止のＲＯＭディスクには、ＣＳＳ（Ｃｏｎｔｅｎｔｓ  Ｓｃｒａｍｂｌｅ  Ｓｙｓｔｅｍ）方式のスクランブルがかけられているものとする。
【００９９】
ディスク種別判別部３０４は、装填されたディスクが、ＲＡＭディスクであるか、ＲＯＭディスクであるかを、例えばＴＯＣ（Ｔａｂｌｅ  Ｏｆ  Ｃｏｎｔｅｔｓ）あるいはディレクトリの情報から判別し、その判別出力をコントロール部３１０に供給する。
【０１００】
デ・スクランブル部３０２は、記録装置２００のスクランブル部２１２で施されたスクランブルを解く処理を行う。ノンコンプライアントの記録装置で記録されたＲＡＭディスクの場合には、スクランブルがかかっていないことが想定されるが、それに対してもデ・スクランブル部３０２はデ・スクランブル処理を行う。したがって、ノンコンプライアントの記録装置で記録されたスクランブルがかかっていないＲＡＭディスクの場合、このデ・スクランブル処理により、逆に、スクランブルがかかったような状態になり、正常な視聴ができない再生信号となる。
【０１０１】
デ・スクランブル部３０２は、また、ＲＯＭディスクに施されるＣＳＳ方式のスクランブルに対するデ・スクランブル処理も行う。デ・スクランブル部３０２において、いずれのデ・スクランブル処理を行うかは、ディスク種別判別部３０４でのＲＡＭディスクか、ＲＯＭディスクかのディスク判別出力により、コントロール部３１０が切り換え制御する。
【０１０２】
デ・スクランブル部３０２からの出力データは、ＷＭデコード部３０５に供給されるとともに、再生許可・禁止制御部３０６に供給される。そして、ＷＭデコード部３０５では、電子透かし情報ＷＭの抽出、判別が行われ、その電子透かし情報ＷＭの判別出力がコントロール部３１０に供給される。
【０１０３】
コントロール部３１０は、前述のスクランブル有無検出部３０３の検出出力と、ディスク種別判別部３０４の判別出力と、電子透かし情報ＷＭの判別出力とに基づいて、再生を許可するか、禁止するかを決定する。そして、その制御情報を再生許可・禁止制御部３０６に供給して、再生禁止のときには、この再生許可・禁止制御部３０６以降の処理を禁止する。したがって、再生禁止のときには、アナログ再生出力信号も出力されないし、ＩＥＥＥ１３９４インターフェースを通じたデジタル出力の伝送もしない。
【０１０４】
再生許可とした場合には、再生許可・禁止制御部３０６以降の処理が有効となり、再生許可・禁止制御部３０６からの映像データは、ＣＧＭＳ書換部３０７に供給される。このＣＧＭＳ書換部３０７では、ＷＭデコード部３０５で抽出、判別された電子透かし情報ＷＭと齟齬が生じないように、前述のセットトップボックス１００の場合と同様にして、ＣＧＭＳ情報が書き換えられる。
【０１０５】
このＣＧＭＳ書換部３０７からの圧縮デジタル映像データは、ビデオデータデコード部３０８に供給されて、ＭＰＥＧ圧縮されていたデータが伸長復号される。そして、伸長復号されたデータは、Ｄ／Ａコンバータ３０９に供給されてアナログ信号に変換され、アナログ出力端子３００ａを通じて外部の電子機器に供給される。
【０１０６】
なお、ＷＭデコード部３０５は、図８に示したＷＭデコード部２０７と全く同様の構成とされる。
【０１０７】
ＣＧＭＳ書換部３０７からの圧縮デジタル映像データは、また、ＩＥＥＥ１３９４インターフェースバスを通じてデジタル出力とされる。この場合に、前述したように、ＩＥＥＥ１３９４セキュアバスにより、デジタル出力についての不正な複製防止が図られている。
【０１０８】
すなわち、ＣＧＭＳ書換部３０７の出力データは、暗号化部３１１に供給され、コントロール部３１０からの制御により、通信ごとに異なる暗号キーに基づく暗号化が圧縮ビデオデータに施される。この暗号化部３１１での暗号化処理は、前述したセットトップボックス１００の暗号化部１０８での暗号化処理と同じである。
【０１０９】
この暗号化部３１１からの暗号化データは、ＩＥＥＥ１３９４インターフェース３１２を通じ、出力端子３００ｂを通じて出力先の電子機器に供給される。ＩＥＥＥ１３９４インターフェース３１２は、ＩＥＥＥ１３９４インターフェース規格に適合するように、データ変換をしてデータを出力する。
【０１１０】
この際に、コントロール部３１０は、ＩＥＥＥ１３９４インターフェース３１２を通じて出力先の機器と通信を行い、その出力先の機器がコンプライアントの装置か、また、コンプライアントの装置であれば、それが記録装置であるか否か判別する。
【０１１１】
そして、コントロール部３１０は、この実施の形態の再生装置では、ＷＭデコード部３０５からの複製制御情報の判別出力と、ＩＥＥＥ１３９４インターフェース１０９を通じた出力先の機器の判別情報とから、暗号化部１０８で暗号化を解くための暗号キー情報を出力先に送出するか否かを決定する。この場合、前述したように、コントロール部３１０においては、ＷＭデコード部３０５からの複製制御情報が複数個存在する場合には、その判別出力に関しては、より複製禁止に近い情報を用いるものである。
【０１１２】
例えば、出力先がノンコンプライアントの装置であったときには、暗号キー情報は、出力先の装置に渡さない。また、出力先がコンプライアントの装置であったときでも、それが記録装置の場合には、電子透かし情報ＷＭが「Ｎｏ  Ｍｏｒｅ  Ｃｏｐｙ」または「Ｎｅｖｅｒ  Ｃｏｐｙ」のときには、暗号キー情報は、出力先の装置に渡さない。
【０１１３】
次に、図１１〜図１３を参照して、この実施の形態のコンプライアントの再生装置３００の処理動作について説明する。
【０１１４】
すなわち、再生装置３００では、まず、ステップＳ２０１において、装填されたディスクには、スクランブルがかかっているか否か判別する。ここで判別するスクランブルには、記録装置２００のスクランブル部２１１でかけられるものと、ＲＯＭディスクのＣＳＳ方式のスクランブルが含まれる。スクランブルがかかっていれば、ステップＳ２０２に進み、ディスクの種類はＲＯＭであるかＲＡＭであるかを判別する。
【０１１５】
ＲＡＭディスクであれば、ステップＳ２０３に進み、電子透かし情報ＷＭをチェックする。そして、次のステップＳ２０４においては、電子透かし情報ＷＭが「Ｃｏｐｙ  Ｏｎｃｅ」あるいは「Ｎｅｖｅｒ  Ｃｏｐｙ」の状態であるかどうかを判別し、その状態であるときには、ステップＳ２０５に進み、再生を禁止する。
【０１１６】
すなわち、ステップＳ２０４で電子透かし情報ＷＭが「Ｃｏｐｙ  Ｏｎｃｅ」と判別されたときに再生を禁止するのは、前述したように、スクランブルがかけられているということは、再生対象のディスク３０は、コンプライアントの記録装置２００で記録されたＲＡＭディスクであることを意味しており、それにもかかわらず、電子透かし情報ＷＭが「Ｃｏｐｙ  Ｏｎｃｅ」の状態にあるいうことは、違法な複製がなされたことを意味するからである。
【０１１７】
なぜなら、コンプライアントの記録装置２００で記録されたＲＡＭディスクであれば、電子透かし情報ＷＭは、「Ｃｏｐｙ  Ｏｎｃｅ」から「Ｎｏ  Ｍｏｒｅ
Ｃｏｐｙ」に書き換えられているはずであるからである。
【０１１８】
また、ＲＡＭディスクであって、電子透かし情報ＷＭが「Ｎｅｖｅｒ  Ｃｏｐｙ」の状態であると判別されたときに再生を禁止するのは、このＲＡＭディスクは、例えば、電子透かし情報ＷＭが「Ｎｅｖｅｒ  Ｃｏｐｙ」のＲＯＭからの情報を違法に複製したものであることを意味しているからである。
【０１１９】
ステップＳ２０４で、電子透かし情報ＷＭが「Ｃｏｐｙ  Ｏｎｃｅ」あるいは「Ｎｅｖｅｒ  Ｃｏｐｙ」の状態ではないと判別されたときには、ステップＳ２０６に進み、再生を許可する。そして、ステップＳ２１０に進み、ＷＭデコード部３０５で判別された電子透かし情報ＷＭに基づき、この電子透かし情報ＷＭと齟齬が生じないように、デジタル映像データのＣＧＭＳ情報（ＣＧＭＳ−Ｄ）が書き換えられる。そして、ステップ２１１に進み、デジタル出力制御であるＩＥＥＥ１３９４Ｉ／Ｆ出力制御を実行する。
【０１２０】
また、ステップＳ２０２で、装填されたディスクは、ＲＯＭディスクであると判別されたときには、ステップＳ２０７に進み、電子透かし情報ＷＭをチェックする。そして、次のステップＳ２０８においては、電子透かし情報ＷＭが「Ｎｅｖｅｒ  Ｃｏｐｙ」であるか否か判別する。すなわち、この判別は、ＣＳＳ方式のスクランブルがかけられていて、複製禁止のＲＯＭディスクの電子透かし情報が正しく「Ｎｅｖｅｒ  Ｃｏｐｙ」の状態になっているか否かを確認する処理である。
【０１２１】
このステップＳ２０８で、電子透かし情報が「Ｎｅｖｅｒ  Ｃｏｐｙ」の状態になっていないと判別されたときは、改ざんされたものとして、ステップＳ２０９に進み、再生を禁止する。正しく「Ｎｅｖｅｒ  Ｃｏｐｙ」の状態になっていれば、ステップＳ２０６に進み、再生が許可される。そして、ステップＳ２１０に進んで、ＣＧＭＳ情報を書き換え（「１１」にする）、さらに、ステップ２１２に進んで、デジタル出力制御を実行する。
【０１２２】
また、ステップＳ２０１で、ディスクに記録された情報にはスクランブルがかかっていないと判別されたときには、図１２のステップＳ２１２に進み、ディスクは、ＲＯＭディスクであるかＲＡＭディスクであるか判別する。ＲＡＭディスクであると判別されたときには、ステップＳ２１３に進み、電子透かし情報ＷＭをチェックする。
【０１２３】
そして、次のステップＳ２１４で、電子透かし情報ＷＭが「複製許可（Ｃｏｐｙ  Ｆｒｅｅ）」であったか否か判別し、そうでなければ、ステップＳ２１５に進み、不正な改ざん処理が施されたとして再生を禁止する。また、ステップＳ２１４で、電子透かし情報ＷＭが「複製許可（Ｃｏｐｙ  Ｆｒｅｅ）」であると判別されたときには、ステップＳ２１６に進み、再生を許可する。
【０１２４】
また、ステップＳ２１２でＲＯＭディスクであると判別されたときには、ステップＳ２１７に進み、電子透かし情報ＷＭをチェックする。そして、電子透かし情報ＷＭが「Ｃｏｐｙ  Ｆｒｅｅ」であるか、あるいは、「Ｎｏ  Ｍｏｒｅ  Ｃｏｐｙ」であるか、あるいは、「Ｏｎｅ  Ｃｏｐｙ」であるか否か判別し、そうであれば、ステップＳ２１６に進んで再生を許可し、そうでなければステップＳ２１９に進んで、再生を禁止する。
【０１２５】
すなわち、ＲＯＭディスクであって、電子透かし情報ＷＭが「Ｎｅｖｅｒ  Ｃｏｐｙ」であるときには、この実施の形態では、ＣＳＳ方式のスクランブルがかかっているはずであるから、スクランブルがかかっていない状態で、「Ｎｅｖｅｒ  Ｃｏｐｙ」であるときには、不正な改ざんが施されたと判断して、再生を禁止するものである。
【０１２６】
次に、ステップＳ２１１での出力制御について説明する。図１３は、デジタル出力制御のＩＥＥＥ１３９４Ｉ／Ｆ出力制御を説明するためのフローチャートである。これは、前述したＩＥＥＥ１３９４セキュアバス制御である。
【０１２７】
ステップＳ３０１では、再生が許可されているか否か判別し、再生禁止であれば、この出力制御のルーチンを終了する。再生が許可されていれば、ステップＳ３０２に進み、ＩＥＥＥ１３９４バスを通じて出力先と通信を行い、出力先はコンプライアントの装置であるか否か判別する。この判別の結果、コンプライアントの装置ではないと判別したときには、ステップＳ３０８に進み、デジタル情報（ＭＰＥＧ圧縮データ）は暗号化処理して出力するが、その暗号化を解く暗号キーは出力先には送出しない。これにより、コンプライアントでない装置での暗号化の解読を不能にしている。
【０１２８】
また、ステップＳ３０２での判別の結果、出力先はコンプライアントの装置であると判別されたときには、ステップＳ３０３に進み、その出力先のコンプライアントの装置は記録装置であるか否か判別する。出力先が記録装置ではないと判別されたときには、ステップＳ３０６に飛び、デジタル情報（ＭＰＥＧ圧縮データ）は暗号化処理して出力するとともに、その暗号化を解く暗号キーも出力先に送出する。
【０１２９】
ステップＳ３０３で出力先がコンプライアントの記録装置であると判別された場合には、ステップＳ３０４に進み、ディスクがＲＯＭディスクであるかＲＡＭディスクであるか判別する。ＲＡＭディスクであると判別したときには、ステップＳ３０５に進み、この実施の形態では、電子透かし情報ＷＭが「Ｎｏ  Ｍｏｒｅ  Ｃｏｐｙ」または「Ｏｎｅ  Ｃｏｐｙ」であるか判別する。
【０１３０】
電子透かし情報が、「Ｎｏ  Ｍｏｒｅ  Ｃｏｐｙ」または「Ｏｎｅ  Ｃｏｐｙ」でなければ、ステップＳ３０６に進み、デジタル情報（ＭＰＥＧ圧縮データ）は暗号化処理して出力するとともに、その暗号化を解く暗号キーも出力先に送出する。また、電子透かし情報が、「Ｎｏ  Ｍｏｒｅ  Ｃｏｐｙ」または「ＯｎｅＣｏｐｙ」であるときは、ステップＳ３０８に進み、デジタル情報（ＭＰＥＧ圧縮データ）は暗号化処理して出力するが、その暗号化を解く暗号キーは出力先には送出しない。
【０１３１】
ステップＳ３０４でＲＯＭディスクであると判別したときには、ステップＳ３０７に進み、電子透かし情報が「Ｃｏｐｙ  Ｆｒｅｅ」であるか否か判別し、そうであれば、ステップＳ３０６に進んで、デジタル情報（ＭＰＥＧ圧縮データ）は暗号化処理して出力するとともに、その暗号化を解く暗号キーも出力先に送出し、そうでなければ、ステップＳ３０８に進み、デジタル情報（ＭＰＥＧ圧縮データ）は暗号化処理して出力するが、その暗号化を解く暗号キーは出力先には送出しない。
【０１３２】
以上説明したように、この実施の形態の再生装置によれば、デジタル映像データ出力に関しては、ＩＥＥＥ１３９４インターフェースのセキュアバスにより著作権保護が図られると共に、その出力デジタル映像データに含められるＣＧＭＳ情報は、不正な改ざんに非常に強い電子透かし情報ＷＭに基づいて、両付加情報に齟齬が生じないように書き換えられる。
【０１３３】
したがって、この再生装置からのデジタル映像データの供給を受けた記録装置では、ＣＧＭＳ情報を基づいて適正に複製記録制御ができるようになる。
【０１３４】
なお、この再生装置３００において、ＩＥＥＥ１３９４規格のインターフェースにおいて、暗号化を解くためのキーを出力先に送出するか否かを決定する資料として、ＣＧＭＳ書換部３０７で書き換えられたＣＧＭＳ情報を用いることもできる。その場合には、出力先がコンプライアントの記録装置のときで、ＣＧＭＳ情報が「１１」のときには、暗号キー情報は、出力先の装置に渡さない。
【０１３５】
また、この再生装置３００においても、前述のセットトップボックス１００の場合と同様にして、Ｄ／Ａコンバータ３０９からのアナログ映像信号出力についても、電子透かし情報ＷＭに基づいたＣＧＭＳ−Ａ情報を付加して、出力するようにしてもよい。
【０１３６】
さらに、再生された映像データに付加されているＣＧＭＳ情報のデコード部をも設け、ＷＭデコード部３０５からの判別結果と、ＣＧＭＳ情報の判別結果とを比較した結果、ＣＧＭＳ情報の方が、より複製禁止に近い場合には、ＣＧＭＳ情報は書き換えないようにしてもよい。また、ＣＧＭＳ情報と、電子透かし情報ＷＭとの間に齟齬がない場合にも、ＣＧＭＳ情報を書き換えないようにしても、もちろんよい。
【０１３７】
［変形例］
上述の再生装置の形態では、再生制限の手法は、再生禁止としたが、情報信号が映像信号やオーディオ信号の場合であれば、正常な画像としては観視できない映像にするとか、雑音を放音するとか、のように、実質的に正常な情報信号の再生を禁止することができれば、どのような再生制限の手法を用いても良い。また、再生を禁止したときに、「このディスクは、違法にコピーされたものですので、再生できません」などのメッセージを画面に映出したり、スピーカから放音するようにすることもできる。
【０１３８】
また、上述の実施の形態では、電子透かし情報と共に付加する他の付加情報は、ＣＧＭＳ情報であったが、ＣＧＭＳ情報に限らないことはいうまでもない。
【０１３９】
また、電子透かし情報は、上述の実施の形態の場合のスペクトラム拡散方式に限られるものではなく、種々の電子透かし方式を用いることができる。例えば、デジタル信号に微小レベルで付加情報を重畳したり、ＭＰＥＧ圧縮などの直交変換を用いる圧縮をデータに対して行うときに、その周波数軸に変換した成分に、雑音として目立たないように、微小レベルの付加情報を重畳する場合であってもよい。また、１画面を所定の大きさの小領域に分割し、その小領域単位に、単位電子透かしパターンを、張り付けるようにして、映像情報に重畳するようにする電子透かし処理を用いてもよい。
【０１４０】
また、書き換え可能な記録媒体は、ディスク記録媒体に限られるものでなく、例えば半導体記憶装置や磁気テープなどであってもよい。また、情報信号は、映像信号に限られるものではなく、例えば音声信号であってもよいことは言うまでもない。
【０１４１】
また、上述の実施の形態における記録装置の部分と、再生装置の部分とを併せ持つ記録再生装置の場合にも、この発明が適用できることはいうまでもない。また、この発明による情報信号の出力装置は、前述したセットトップボックスの実施の形態に限らず、放送局用の装置や、ネットワークに接続されたコンピュータで、他のコンピュータやサーバから得たデジタル映像データをネットワークに再出力する場合にも適用できる。
【０１４２】
上述の実施の形態の記録装置では、電子透かし情報も書き換えるようにしたが、ＣＧＭＳ情報のみを書き換え、電子透かし情報は、書き換えなくてもよい。
【０１４３】
【発明の効果】
以上説明したように、この発明によれば、情報信号に、その複製世代管理のために、電子透かし情報と他の付加情報とを重畳付加する場合に、改ざんが困難である電子透かし情報に基づいて、他の付加情報を書き換えるようにするので、他の付加情報が改ざんされてしまった場合にも、当該他の付加情報の内容を正しいものに維持することができる。
【０１４４】
また、この発明による情報信号の出力装置によれば、改ざんが困難な電子透かし情報ＷＭに基づいて、他の付加情報例えばＣＧＭＳ情報を齟齬が生じないように書き換えて映像信号を出力するので、例えばＣＧＭＳ情報にのみに基づいて複製世代制御するものについても、常に適切な複製制御が期待できる。
【０１４５】
また、この発明による情報信号の記録装置によれば、改ざんが困難な電子透かし情報に基づいて、他の付加情報が示す複製世代を正しく書き換えるようにするので、他の付加情報も、常に適正なものが、記録媒体上に記録される。
【０１４６】
このため、他の付加情報がＣＧＭＳ情報の場合、例えば、この記録媒体を再生装置で再生して、情報信号をＩＥＥＥ１３９４インターフェースのセキュアバスを通じて記録装置に供給する場合にも、ＣＧＭＳ情報が正しく維持されていることから、適正なインターフェース出力制御が期待でき、有効に複製世代管理ができるものである。
【０１４７】
また、この発明による情報信号の再生装置によれば、不正な改ざんに非常に強い電子透かし情報ＷＭに基づいて、他の付加情報が、両付加情報の間で齟齬が生じないように書き換えられるので、この再生装置からのデジタル映像データの供給を受けた記録装置では、前記他の付加情報を基づいて適正に複製記録制御ができるようになる。したがって、電子透かし情報による複製制限処理に対応していないが、前記他の付加情報による複製制限処理に対応している記録装置においても、確実に適正な複製記録制御ができることが期待できる。
【図面の簡単な説明】
【図１】この発明による情報信号の記録装置の実施の形態の構成例を示すブロック図である。
【図２】この発明による情報信号の複製世代管理方法の一形態を適用するシステム構成を示す図である。
【図３】図２のシステムに用いるセットトップボックスの構成例を示すブロック図である。
【図４】図３の実施の形態のセットトップボックスに用いる電子透かし情報の重畳方法を説明するためのブロック図である。
【図５】図３の実施の形態のセットトップボックスに用いる電子透かし情報の検出方法を説明するためのブロック図である。
【図６】この発明の実施の形態に用いる電子透かし情報を説明するための図である。
【図７】図１の記録装置の一部である電子透かし情報ＷＭ書換部２０８のブロック図である。
【図８】図１の記録装置の一部である電子透かし情報ＷＭデコード部２０７のブロック図である。
【図９】図１の記録装置の処理動作を説明するためのフローチャートである。
【図１０】この発明の実施の形態で用いるコンプライアントの再生装置の一例のブロック図である。
【図１１】図１０の再生装置の処理動作を説明するためのフローチャートの一部である。
【図１２】図１０の再生装置の処理動作を説明するためのフローチャートの一部である。
【図１３】図１０の再生装置におけるデジタル出力制御を説明するためのフローチャートである。
【符号の説明】
１００…セットトップボックス、１０４…ＣＧＭＳ書換部、１０５…ビデオデータデコード部、１０７…ＷＭデコード部、１０８…暗号化部、１０９…ＩＥＥＥ１３９４インターフェース、２００…コンプライアントの記録装置、２０１…ＩＥＥＥ１３９４インターフェース、２０２…暗号解読部、２０４…アナログインターフェース、２０５…圧縮エンコード部、２０６…記録制御部、２０７…ＷＭデコード部、２０８…ＷＭ書換部、２０９…ＣＧＭＳ書換部、２１０…コントロール部、２１１…スクランブル部、２１２…書き込み部、３００…コンプライアントの再生装置、３０１…読み出し部、３０２…デ・スクランブル部、３０３…スクランブル有無検出部、３０４…ディスク種別判別部、３０５…ＷＭデコード部、３０６…再生許可／禁止制御部、３０７…ＣＧＭＳ書換部、３０８…ビデオデータデコード部、３０９…Ｄ／Ａコンバータ、３１０…コントロール部、３１１…暗号化部、３１２…ＩＥＥＥ１３９４インターフェース
【図１】
0003991178.tif 000002
【図２】
0003991178.tif 000003
【図３】
0003991178.tif 000004
【図４】
0003991178.tif 000005
【図５】
0003991178.tif 000006
【図６】
0003991178.tif 000007
【図７】
0003991178.tif 000008
【図８】
0003991178.tif 000009
【図９】
0003991178.tif 000010
【図１０】
0003991178.tif 000011
【図１１】
0003991178.tif 000012
【図１２】
0003991178.tif 000013
【図１３】
0003991178.tif 000014